(57)【要約】      （修正有）【課題】室内熱交換器または室外熱交換器の温度を監視して判定時間内の最大温度と最小温度との温度差が所定温度差よりも小さい時に冷媒漏れと判断して、冷媒漏れを正確に検知できる空気調和機を提供する。【解決手段】冷凍サイクルを運転する圧縮機３と、圧縮機３の一端に接続して室内に配される室内熱交換器２０と、圧縮機３の他端に接続して室外に配される室外熱交換器９と、冷凍サイクルの冷媒漏れを検知する冷媒漏れ検知部を備え、冷媒漏れ検知部は、圧縮機３の駆動後に所定の判定時間ｔ内で変化する室内熱交換器２０の最大温度と最小温度との温度差ΔＴｊが所定温度差ΔＴよりも小さい時に冷媒漏れと判断する。【選択図】図２
2008267621.tif 000002
【特許請求の範囲】
【請求項１】
冷媒の流通により冷凍サイクルを運転する圧縮機と、前記圧縮機の一端に接続して室内に配される室内熱交換器と、前記圧縮機の他端に接続して室外に配される室外熱交換器と、前記冷凍サイクルの冷媒漏れを検知する冷媒漏れ検知部とを備えた空気調和機において、前記冷媒漏れ検知部は、前記圧縮機の駆動後に所定の判定時間内で変化する前記室内熱交換器または前記室外熱交換器の最大温度と最小温度との温度差が所定の判定温度差よりも小さい時に冷媒漏れと判断し、前記室外熱交換器が配された室外の温度が所定温度よりも低い時の前記判定時間を高い時の前記判定時間よりも長くしたことを特徴とする空気調和機。
【請求項２】
冷房運転時の前記判定時間を暖房運転時よりも短くしたことを特徴とする請求項１に記載の空気調和機。
【請求項３】
冷房運転時の前記判定温度差を暖房運転時よりも小さくしたことを特徴とする請求項１に記載の空気調和機。
【請求項４】
暖房運転時に前記室外熱交換器の最大温度と最小温度との温度差が前記判定温度差よりも小さい時に冷媒漏れと判断したことを特徴とする請求項１〜請求項３のいずれかに記載の空気調和機。
【請求項５】
冷房運転時に前記室内熱交換器の最大温度と最小温度との温度差が前記判定温度差よりも小さい時に冷媒漏れと判断したことを特徴とする請求項１〜請求項４のいずれかに記載の空気調和機。
【請求項６】
前記冷媒漏れ検知部は前記冷凍サイクルの冷媒漏れと判断した際に繰り返し冷媒漏れの判別を行い、所定回数連続して冷媒漏れと判断した際に空気調和機の駆動を停止することを特徴とする請求項１〜請求項５のいずれかに記載の空気調和機。
【発明の詳細な説明】
【技術分野】
【０００１】
本発明は、冷媒の流通により冷凍サイクルを運転して室内の空気調和を行う空気調和機に関する。
【背景技術】
【０００２】
従来の空気調和機は特許文献１に開示されている。この空気調和機は室内熱交換器を備えた室内機と室外熱交換器を備えた室外機とに分離される。室内熱交換器及び室外熱交換器はそれぞれ冷媒が流通する配管により圧縮機に接続される。圧縮機の駆動によって冷媒が流通して冷凍サイクルが運転される。これにより、冷房運転時には室内熱交換器が冷凍サイクルの低温側となり、室外熱交換器が冷凍サイクルの高温側となる。また、暖房運転時には室内熱交換器が冷凍サイクルの高温側となり、室外熱交換器が冷凍サイクルの低温側となる。
【０００３】
冷媒が流通する配管の亀裂や接合不良等によって冷媒漏れが発生すると圧縮機を駆動しても室内の冷暖房ができず、電力を浪費する。このため、圧縮機の駆動開始時と所定時間経過後との室内熱交換器の温度差によって冷媒漏れが検知される。即ち、圧縮機を駆動した後に所定時間が経過して室内熱交換器が所定の温度差よりも大きく降温（冷房運転時）または昇温（暖房運転時）されていない場合に冷媒漏れと判断する。冷媒漏れを検知すると報知や圧縮機の停止が行われ、電力浪費を防止することができる。
【０００４】
【特許文献１】特開平１−９５２５５号公報（第２頁−第４頁、第３図）
【発明の開示】
【発明が解決しようとする課題】
【０００５】
しかしながら、上記従来の空気調和機によると、暖房運転時に圧縮機を駆動すると室外熱交換器から外気により冷却された低温の冷媒が室内熱交換器に流入する。このため、圧縮機の駆動開始時に室内熱交換器の温度を検知した後に低温の冷媒の流入によって室内熱交換器が降温される場合がある。その結果、所定時間経過して室内熱交換器の温度を検知した際に冷媒漏れが発生していなくても圧縮機の駆動開始時との温度差が小さくなる。
【０００６】
また、外気温が極低温の場合は暖房運転時に室内熱交換器が昇温されるまでに時間がかかる。このため、冷媒漏れが発生していなくても圧縮機の駆動開始時と、所定時間経過後との室内熱交換器の温度差が小さくなる。従って、冷媒漏れを正確に検知できない問題があった。
【０００７】
本発明は、冷媒漏れを正確に検知できる空気調和機を提供することを目的とする。
【課題を解決するための手段】
【０００８】
上記目的を達成するために本発明は、冷媒の流通により冷凍サイクルを運転する圧縮機と、前記圧縮機の一端に接続して室内に配される室内熱交換器と、前記圧縮機の他端に接続して室外に配される室外熱交換器と、前記冷凍サイクルの冷媒漏れを検知する冷媒漏れ検知部とを備えた空気調和機において、前記冷媒漏れ検知部は、前記圧縮機の駆動後に所定の判定時間内で変化する前記室内熱交換器または前記室外熱交換器の最大温度と最小温度との温度差が所定の判定温度差よりも小さい時に冷媒漏れと判断し、前記室外熱交換器が配された室外の温度が所定温度よりも低い時の前記判定時間を高い時の前記判定時間よりも長くしたことを特徴としている。
【０００９】
この構成によると、室内に配される室内熱交換器と室外に配される室外熱交換器はそれぞれ冷媒が流通する配管により圧縮機に接続される。圧縮機の駆動によって冷媒が流通して冷凍サイクルが運転される。圧縮機の駆動を開始すると室外の温度が検知される。室外の温度に応じて冷媒漏れを判別するための判定時間が設定される。この時、室外の温度が低い場合は判定時間を長くして室外の温度が高い場合は判定時間を短くする。また、室内熱交換器または室外熱交換器の温度が監視され、設定された判定時間が経過すると判定時間内の室内熱交換器または室外熱交換器の最大温度と最小温度との温度差が導出される。この温度差が所定の判定温度差よりも小さいと冷媒漏れ検知部は冷媒漏れと判断する。
【００１０】
また上記構成の空気調和機において、冷房運転時の前記判定時間を暖房運転時よりも短くすることが好ましい。
【００１１】
また上記構成の空気調和機において、冷房運転時の前記判定温度差を暖房運転時よりも小さくすることが好ましい。
【００１２】
また上記構成の空気調和機において、暖房運転時に前記室外熱交換器の最大温度と最小温度との温度差が前記判定温度差よりも小さい時に冷媒漏れと判断することが好ましい。
【００１３】
また上記構成の空気調和機において、冷房運転時に前記室内熱交換器の最大温度と最小温度との温度差が前記判定温度差よりも小さい時に冷媒漏れと判断することが好ましい。
【００１４】
また上記構成の空気調和機において、前記冷媒漏れ検知部は前記冷凍サイクルの冷媒漏れと判断した際に繰り返し冷媒漏れの判別を行い、所定回数連続して冷媒漏れと判断した際に空気調和機の駆動を停止することが好ましい。
【００１５】
この構成によると、例えば、判定時間内の室内熱交換器の最大温度と最小温度との温度差が所定温度差よりも小さく冷媒漏れと判断した際に、再度室内熱交換器の温度を監視して判定時間内の室内熱交換器の最大温度と最小温度との温度差を導出して冷媒漏れを判別する。冷媒漏れ検知部により所定回数繰り返して冷媒漏れと判断されると、冷媒漏れの誤検知がないと判断して空気調和機が停止される。もちろん、この構成における動作を室内熱交換器に替えて、室外熱交換器にて行ってもよい。
【発明の効果】
【００１６】
本発明によると、圧縮機の駆動後に室内熱交換器または室外熱交換器の温度を監視して判定時間内の最大温度と最小温度との温度差が所定温度差よりも小さい時に冷媒漏れと判断するので、例えば、暖房運転時に室外熱交換器から低温の冷媒が流入して室内熱交換器が一時降温しても、冷媒漏れがない時場合は室内熱交換器の所定の判定温度差よりも大きな昇温を検知できる。
【００１７】
また、判定時間を室外の温度に応じて可変したので、例えば、暖房運転時に室外熱交換器から流入する冷媒により室内熱交換器の昇温に時間がかかる際に判定時間を長くし、冷媒漏れがないときに所定の判定温度差よりも大きな室内熱交換器の昇温を検知できる。従って、冷媒漏れを正確に検知することができる。
【発明を実施するための最良の形態】
【００１８】
以下に本発明の実施形態を図面を参照して説明する。図１は第１実施形態の空気調和機の構成を示すブロック図である。空気調和機１は室外に配される室外機２と室内に配される室内機１１とを有している。室内機１１には各部を制御する制御部１２が設けられる。室外機２には制御部１２に接続される圧縮機３、四方弁４、電子膨張弁５、外気温サーミスタ６、室外熱交換器サーミスタ７、室外送風機８が設けられる。また、室外機２内には圧縮機３に接続される室外熱交換器９（図２参照）が配される。
【００１９】
圧縮機３はＨＦＣ（ハイドロフルオロカーボン）冷媒であるＲ４１０Ａを流通させて冷凍サイクルを運転する。尚、ＨＦＣ冷媒としては他にＲ４０７Ｃ、Ｒ４０４Ａ等があり、これらを使用してもよい。四方弁４は冷媒の経路に設けられ、冷房運転時と暖房運転時とで冷媒の流通経路を切り替える。電子膨張弁５は室外熱交換器９に接続され、冷媒を膨張する。
【００２０】
外気温サーミスタ６は外気温を検知して制御部１２に伝達する。室外熱交換器サーミスタ７は室外熱交換器９の温度を検知して制御部１２に伝達する。室外送風機８は室外熱交換器９の熱または冷熱を室外に放出する。尚、外気温サーミスタ６は室外送風機８、室外熱交換器９の上流側であって、室外熱交換器９の熱影響を受けない位置に設けられる。本実施形態では、室外送風機８による風の流れの上流側から外気温サーミスタ６、室外熱交換器９、室外送風機８の順序で並んでいる。
【００２１】
室内機１１には制御部１２に接続される室内送風機１３、室内熱交換器サーミスタ１４、室内サーミスタ１５、ルーバー１６、記憶部１７、表示部１８、受信部１９が設けられる。また、室内機１１内には圧縮機３に接続される室内熱交換器２０（図２参照）が配される。
【００２２】
室内送風機１３は室内熱交換器２０の熱または冷熱を室内に送出する。室内熱交換器サーミスタ１４は室内熱交換器２０の温度を検知して制御部１２に伝達する。室内サーミスタ１５は室内の温度を検知して制御部１２に伝達する。ルーバー１６は室内送風機１３により送出される空気の風向を可変する。
【００２３】
記憶部１７はＲＯＭ及びＲＡＭから成り、空気調和機１の動作プログラムや設定データを記憶するとともに制御部１２による演算結果を一時記憶する。表示部１８は空気調和機１の動作状況や警報等を表示する。受信部１９はリモートコントローラ２１を操作した際に送信される送信信号を受信する。
【００２４】
図２は空気調和機１の冷凍サイクルの回路図を示している。圧縮機３の一端には四方弁４を介して室外熱交換器９が接続され、他端には四方弁４を介して室内熱交換器２０が接続される。四方弁４の切替えによって暖房運転時には圧縮機３の冷媒流出側に室内熱交換器２０が接続され、冷房運転時には圧縮機３の冷媒流出側に室外熱交換器９が接続される。室外熱交換器９及び室内熱交換器２０の圧縮機３側と反対側に電子膨張弁５が配される。
【００２５】
本実施形態では、室内熱交換器サーミスタ１４は室内熱交換器２０における冷媒流入部と冷媒流出部との中間付近に設置されている。また、室外熱交換器サーミスタ７は室外熱交換器９の冷媒流出部付近に設けられている。
【００２６】
尚、冷媒漏れを判断する場合には、熱交換器（室内熱交換器２０または室外熱交換器９）の冷媒流入配管の温度（熱交換器への冷媒流入部の温度）を検知することが好ましい。これは、冷媒流入側配管の温度（熱交換器への冷媒流入部の温度）を検知する方が温度差がつきやすく、冷媒漏れの判断をし易くなるからである。
【００２７】
暖房運転時には四方弁４が図中、実線で示すように切り替えられる。これにより、矢印Ａに示す方向に冷媒が流通し、圧縮機３により圧縮された高温高圧の冷媒は室内熱交換器２０で放熱しながら凝縮する。高温の冷媒は電子膨張弁５で膨張して低温低圧となり、室外熱交換器９に送られる。室外熱交換器９に流入する冷媒は吸熱しながら蒸発して低温のガス冷媒となり、圧縮機３に送られる。これにより、冷媒が循環して冷凍サイクルが運転される。冷凍サイクルの高温側となる室内熱交換器２０と熱交換した空気が室内送風機１３により室内に送出され、室内が暖められる。
【００２８】
冷房運転時には四方弁４が図中、破線で示すように切り替えられる。これにより、矢印Ａと反対方向に冷媒が流通し、室内熱交換器２０が冷凍サイクルの低温側となるとともに室外熱交換器９が冷凍サイクルの高温側となる。室内熱交換器２０と熱交換した空気が室内送風機１３により室内に送出され、室内が冷却される。
【００２９】
図３は空気調和機１の動作を示すフローチャートである。空気調和機１は制御部１２によって運転開始時に冷凍サイクルの冷媒漏れを検知する。空気調和機１の運転開始を指示するとステップ＃１１で圧縮機３が駆動される。ステップ＃１２では外気温サーミスタ６によって外気温Ｔｏが検知される。ステップ＃１３では外気温Ｔｏが所定温度Ｔ３（例えば、−１０℃）以上か否かが判断される。
【００３０】
外気温Ｔｏが所定温度Ｔ３以上の場合はステップ＃１４で冷媒漏れを判別する判定時間ｔに時間ｔ１が代入される。外気温Ｔｏが所定温度Ｔ３よりも低い場合はステップ＃１５で冷媒漏れを判別する判定時間ｔに時間ｔ２が代入される。ここで、時間ｔ２は時間ｔ１よりも長くなっている。
【００３１】
ステップ＃１６では冷房運転か否かが判断される。冷房運転でない場合はステップ＃１７に移行し、冷房運転の場合はステップ＃２０に移行する。ステップ＃１７では暖房運転か否かが判断される。暖房運転の場合はステップ＃１８に移行し、除湿運転等の暖房運転でない場合はステップ＃５１に移行する。ステップ＃５１では冷媒漏れの検知を行わずに通常運転が行われる。
【００３２】
制御部１２は室内熱交換器２０の温度を監視し、室内熱交換器２０の最大温度と最小温度との温度差により冷媒漏れを判断する。このため、ステップ＃１８、＃２０では冷媒漏れと判断するための判定温度差ΔＴが設定される。冷房運転の場合はステップ＃２０で判定温度差ΔＴに所定温度Ｔ１が代入される。暖房運転の場合はステップ＃１８で判定温度差ΔＴに所定温度Ｔ２が代入される。ここで、温度Ｔ２は温度Ｔ１よりも大きくなっている。
【００３３】
ステップ＃２１では室内熱交換器２０の温度Ｔｊが室内熱交換器サーミスタ１４により検知される。ステップ＃２２では室内熱交換器サーミスタ１４の検知した温度Ｔｊが判定時間ｔ内で最高温度または最低温度か否かが判断される。温度Ｔｊが最高温度または最低温度の場合はステップ＃２３に移行する。ステップ＃２３では温度Ｔｊが最高温度の場合は最高温度Ｔｍａｘとして記憶部１７に記憶される。また、温度Ｔｊが最低温度の場合は最高温度Ｔｍｉｎとして記憶部１７に記憶される。
【００３４】
ステップ＃２４では判定時間ｔが経過したか否かが判断される。判定時間ｔが経過していない場合はステップ＃２１に戻り、ステップ＃２１〜＃２４が繰り返し行われる。これにより、判定時間ｔ内の室内熱交換器２０の最高温度Ｔｍａｘ及び最低温度Ｔｍｉｎが検知される。
【００３５】
判定時間ｔが経過するとステップ＃２５に移行し、室内熱交換器２０の最高温度Ｔｍａｘと最低温度Ｔｍｉｎとの温度差ΔＴｊが導出される。ステップ＃３１では温度差ΔＴｊがステップ＃１８、＃２０で設定した判定温度差ΔＴ以上か否かが判断される。温度差ΔＴｊが判定温度差ΔＴ以上の場合は冷媒漏れがなく室内熱交換器２０が正常に昇温または降温されているためステップ＃５１に移行して通常運転が行われる。
【００３６】
温度差ΔＴｊが判定温度差ΔＴよりも小さい場合は冷媒漏れと判断し、ステップ＃３２で圧縮機３が停止される。ステップ＃３３ではステップ＃１１〜＃３１による冷媒漏れの検知が所定回数Ｎ回行われたか否かが判断される。ステップ＃１１〜＃３１による冷媒漏れの検知が１回の場合は誤検知する場合もあるため、複数回繰り返して同様に判断する。冷媒漏れの検知がＮ回行われていない場合はステップ＃３４に移行し、所定時間待機する。所定時間が経過するとステップ＃１１に移行して圧縮機３が再起動され、ステップ＃１１〜＃３４が繰り返し行われる。
【００３７】
Ｎ回連続して室内熱交換器２０の温度差ΔＴｊが判定温度差ΔＴよりも小さく冷媒漏れと判断されると誤検知ではないと判断する。そして、ステップ＃３３の判断によりステップ＃４１に移行する。従って、ステップ＃１１〜＃３４は冷凍サイクルの冷媒漏れを検知する冷媒漏れ検知部を構成する。ステップ＃４１では表示部１８により冷媒漏れの発生が報知される。冷媒漏れの発生をリモートコントローラ２１により報知してもよい。ステップ＃４２では表示部１８の報知状態を維持して空気調和機１の全体が停止される。
【００３８】
本実施形態によると、圧縮機３の駆動後に室内熱交換器２０の温度を監視して判定時間ｔ内の最大温度Ｔｍａｘと最小温度Ｔｍｉｎとの温度差ΔＴｊが所定の判定温度差ΔＴよりも小さい時に冷媒漏れと判断するので、暖房運転時に室外熱交換器９から流入する低温の冷媒により室内熱交換器２０が一時降温しても冷媒漏れがない場合は所定量（判定温度差ΔＴよりも大きな量）の昇温を検知できる。
【００３９】
また、判定時間ｔを室外の温度Ｔｏに応じて可変したので、室外熱交換器９から流入する低温の冷媒により室内熱交換器２０の昇温に時間がかかっても判定時間ｔを時間ｔ２に長く設定して冷媒漏れがない場合は所定量（判定温度差ΔＴよりも大きな量）の昇温を検知できる。従って、冷媒漏れを正確に検知することができる。尚、判定時間ｔを外気温サーミスタ６の検知温度Ｔｏにより可変しているが、室外熱交換器サーミスタ７の検知温度により可変してもよい。
【００４０】
また、冷房運転時は室外熱交換器９と室内との温度差が小さいため、室外熱交換器９から若干高温の冷媒が流入しても室内熱交換器２０の温度上昇が小さい。このため、判定温度差ΔＴを温度Ｔ１に小さくしても正確に冷媒漏れを検知することができる。判定温度差ΔＴを大きくすると冷媒漏れがなくても判定時間ｔ内に判定温度差ΔＴだけ降温されない可能性が生じる。従って、冷房運転時に冷媒漏れと判断する判定温度差ΔＴを暖房運転時の設定温度Ｔ２よりも小さくし、冷媒漏れの誤検知をより低減することができる。
【００４１】
また、ステップ＃１１〜＃３４から成る冷媒漏れ検知部はＮ回連続して冷媒漏れと判断した際に空気調和機１の全体の駆動を停止するので、冷媒漏れの誤検知によって空気調和機１が停止されることを低減することができる。
【００４２】
尚、冷房運転時は室外熱交換器９と室内との温度差が小さいため、室外熱交換器９から若干高温の冷媒が流入しても室内熱交換器２０の温度上昇が小さい。このため、冷房運転時の判定時間ｔを暖房運転時よりも短くしてもよい。即ち、室内熱交換器２０が速く降温され、判定時間ｔを短くしても正確に冷媒漏れを検知することができる。従って、迅速に通常運転に移行することができる。
【００４３】
また、ステップ＃１２において、長時間運転しなかった場合等に室外熱交換器９が外気温とほぼ同じになっている場合であれば、室外熱交換器９の温度を検知してもよい。但し、繰り返し運転を行う場合には室外熱交換器９の温度が外気温と異なっていることがある。従って、室外の温度を検知する場合は直接外気温を検知するほうがより好ましい。
【００４４】
次に、図４は第２実施形態の空気調和機の動作を示すフローチャートである。本実施形態は前述の図１、図２に示す第１実施形態と同様に構成され、暖房運転時に室外熱交換器９の温度を監視して冷媒漏れを検知している。その他の部分は第１実施形態と同一である。同図において、ステップ＃１１〜＃１５及びステップ＃２２〜＃４２は前述の図３と同一のため説明を省略する。
【００４５】
暖房運転の場合はステップ＃１７の判断によってステップ＃１８で判定温度差ΔＴに所定温度Ｔ２が代入されると、ステップ＃１９に移行する。ステップ＃１９では室外熱交換器９の温度Ｔｊが室外熱交換器サーミスタ７により検知される。
【００４６】
また、ステップ＃２４の判断で判定時間ｔが経過していない場合に、冷房運転時はステップ＃２１に戻り、暖房運転時はステップ＃１９に戻る。そして、冷房運転時はステップ＃２１〜＃２４が繰り返し行われ、暖房運転時はステップ＃１９、＃２２〜＃２４が繰り返し行われる。これにより、判定時間ｔ内の室内熱交換器２０または室外熱交換器９の最高温度Ｔｍａｘ及び最低温度Ｔｍｉｎが検知される。
【００４７】
本実施形態によると、暖房運転時に圧縮機３の駆動後に室外熱交換器９の温度を監視して判定時間ｔ内の最大温度Ｔｍａｘと最小温度Ｔｍｉｎとの温度差ΔＴｊが所定の判定温度差ΔＴよりも小さい時に冷媒漏れと判断するので、運転開始時に冷媒の流通が不安定になるため室外熱交換器９が一時昇温しても冷媒漏れがない場合は所定量（判定温度差ΔＴよりも大きな量）の降温を検知できる。
【００４８】
尚、暖房運転時に室内熱交換器２０の温度を監視すると低温の冷媒の流入により一時降温して昇温に時間がかかるが、室外熱交換器９は圧縮機３の運転によって降温するため一時的な昇温が少ない。このため、室外熱交換器９の温度を監視することにより、温度変化を迅速に検知することができる。
【００４９】
また、判定時間ｔを室外の温度Ｔｏに応じて可変したので、室外熱交換器９が低温であるため更に降温するのに時間がかかっても判定時間ｔを時間ｔ２に長く設定して冷媒漏れがない場合は所定量の降温を検知できる。従って、冷媒漏れを正確に検知することができる。
【００５０】
本実施形態において、ステップ＃２１を省いてステップ＃２０の移行先をステップ＃１９にし、冷房運転時に室外熱交換器９の温度を監視して冷媒漏れを判断してもよい。しかしながら、冷房運転時は室外が高温のため室外熱交換器９よりも室内熱交換器２０の方が温度変化が大きい。このため、本実施形態のように室内熱交換器２０の温度を監視して冷媒漏れを判断する方がより望ましい。
【００５１】
次に、図５は第３実施形態の空気調和機の動作を示すフローチャートである。本実施形態は前述の図１、図２に示す第１実施形態と同様に構成され、図３のステップ＃１２〜＃１５が省略されている。その他の部分は第１実施形態と同一である。
【００５２】
本実施形態によると、圧縮機３の駆動後に室内熱交換器２０の温度を監視して判定時間ｔ内の最大温度Ｔｍａｘと最小温度Ｔｍｉｎとの温度差ΔＴｊが所定温度差ΔＴよりも小さい時に冷媒漏れと判断するので、暖房運転時に室外熱交換器９から流入する低温の冷媒により室内熱交換器２０が一時降温しても冷媒漏れがない場合は所定量の昇温を検知できる。
【００５３】
尚、第１実施形態のように室外の温度Ｔｏに応じて判定時間ｔを可変していないが、室外の温度が例えば−１０℃以下になりにくい状況において本実施形態によって誤検知することなく冷媒漏れを正確に検知することができる。また、第２実施形態（図４）のステップ＃１２〜＃１５を省略してもよい。
【００５４】
第１〜第３実施形態において、圧縮機３、四方弁４、電子膨張弁５及び室外送風機８を制御部１２に替えて室外機２に別途設けた室外機用制御部により制御してもよい。この時、室外機用制御部は制御部１２との間で通信を行い、制御部１２から温度情報及び指示内容等を受信する。また、室外機用制御部には室外機内の外気温サーミスタ６や室外熱交換器サーミスタ７から温度情報が入力される。圧縮機３、四方弁４、電子膨張弁５及び室外送風機８は制御部１２からの受信情報や外気温サーミスタ６等の温度情報等に基づいて室外機用制御部により制御される。
【００５５】
また、冷房運転時に室外熱交換器の温度を検知する構成や、暖房運転時に室内熱交換器の温度を検知する構成にすることも可能である。
【産業上の利用可能性】
【００５６】
本発明によると、冷媒の流通により冷凍サイクルを運転して室内の空気調和を行う空気調和機に利用することができる。
【図面の簡単な説明】
【００５７】
【図１】本発明の第１実施形態の空気調和機の構成を示すブロック図
【図２】本発明の第１実施形態の空気調和機の冷凍サイクルを示す回路図
【図３】本発明の第１実施形態の空気調和機の動作を示すフローチャート
【図４】本発明の第２実施形態の空気調和機の動作を示すフローチャート
【図５】本発明の第３実施形態の空気調和機の動作を示すフローチャート
【符号の説明】
【００５８】
１    空気調和機
２    室外機
３    圧縮機
４    四方弁
５    電子膨張弁
６    外気温サーミスタ
７    室外熱交換器サーミスタ
８    室外送風機
９    室外熱交換器
１１    室内機
１２    制御部
１３    室内送風機
１４    室内熱交換器サーミスタ
１５    室内サーミスタ
１６    ルーバー
１７    記憶部
１８    表示部
１９    受信部
２０    室内熱交換器
２１    リモートコントローラ
【図１】
2008267621.tif 000003
【図２】
2008267621.tif 000004
【図３】
2008267621.tif 000005
【図４】
2008267621.tif 000006
【図５】
2008267621.tif 000007